(57)【要約】【課題】  ダウンロード可能な着メロデータ数を多くすることなく、他の携帯電話機と差別化できるオリジナリティのある着メロデータをダウンロード可能なデータ供給サーバを提供することを目的としている。【解決手段】  着メロデータをダウンロードする使用者自身に、着メロデータの編集パターンを選択させ、データ供給サーバ内において、その選択パターンで当該使用者自身の選択した編集パターンで着メロデータを編集させた後に、携帯電話機へダウンロードさせる。これにより、少ない着メロデータ数であっても、それらを編集することによって、同じ着メロデータを編集したものとも差別化が可能となる。しかも、この差別化するための編集パターンは、使用者によって選択されるので、使用者側に選択自由度を与えることができる。【選択図】          図４
2005295082.tif 000002
【特許請求の範囲】
【請求項１】
複数の着信メロディデータ、複数のキャラクタボイスデータ、及び、前記複数の着信メロディデータと複数のキャラクタボイスデータを視覚的に表示可能として選択を促す選択画面データとを記憶した記憶手段と、広域通信回線網を通じて携帯電話機と接続され、当該広域通信回線網を介して前記記憶手段から前記携帯電話機へ前記着信メロディデータ及びキャラクタボイスデータとを送信する通信手段とを具備するデータ供給サーバであって、
前記記憶手段には、前記携帯電話機が前記通信手段により接続されたことを条件として、前記記憶手段から該携帯電話機に前記選択画面データを送信する機能と、当該選択画面データを送信した後に前記選択画面データを送信した携帯電話機から、前記複数の着信メロディデータ及び複数のキャラクタボイスデータの中から夫々一つの着信メロディデータ及びキャラクタボイスデータの選択信号を受信し、当該選択信号に基づいて前記記憶手段から着信メロディデータ及びキャラクタボイスデータとを抽出する機能と、抽出した前記着信メロディデータ及びキャラクタボイスデータとを合成する機能とを備えた選択合成プログラムが記憶されており、
前記選択合成プログラムに基づいて、前記通信手段を介して前記携帯電話機により選択された前記着信メロディデータ及びキャラクタデータとの合成着信メロディデータを前記携帯電話機に送信する制御を実行する制御手段を備えていることを特徴とするデータ供給サーバ。
【請求項２】
複数の着信メロディデータ、複数のキャラクタボイスデータ、及び、前記複数の着信メロディデータと複数のキャラクタボイスデータに対応した文字画像データとした選択画面データとを記憶した記憶手段と、当該選択画面データに応じて選択された着信メロディデータとキャラクタボイスデータとを合成着信メロディデータとして合成する合成手段と、当該合成手段によって合成された前記合成着信メロディデータを一時的に記憶する一時記憶手段と、広域通信回線網を通じて携帯電話機と接続され当該広域通信回線網を介して前記一時記憶手段から前記携帯電話機へ前記合成着信メロディデータを送信する通信手段とを具備するデータ供給サーバであって、
前記記憶手段には、前記携帯電話機が前記通信手段により接続されたことを条件として、前記記憶手段から該携帯電話機に前記選択画面データを送信する機能と、
当該選択画面データを送信した後に前記選択画面データを送信した携帯電話機から、前記複数の着信メロディデータ及び複数のキャラクタボイスデータの中から夫々一つの着信メロディデータ及びキャラクタボイスデータの選択信号を受信する機能と、
当該選択信号を受信したことを契機として複数の合成パターンの合成パターン選択画面を前記携帯電話機で表示させるために合成パターン選択画面データを前記携帯電話機に送信する機能と、
この合成パターン選択画面により選択された合成パターン選択信号を前記携帯電話機から受信する機能と、
前記合成パターン選択信号に応じた合成パターンによって、前記選択信号に応じた前記着信メロディデータ及びキャラクタボイスデータとを抽出し前記合成手段によって合成された前記合成着信メロディデータを前記一時記憶手段に格納する機能とを備えたプログラムが記憶されており、
前記プログラムに基づいて、前記通信手段を介して前記携帯電話機により前記合成着信メロディデータを前記携帯電話機に送信する制御を実行する制御手段を備えていることを特徴とするデータ供給サーバ。
【発明の詳細な説明】
【技術分野】
【０００１】
この発明は、インターネット通信回線網等の広域回線やローカルネットワークを通じて、携帯電話機等の携帯端末に着信メロディデータ（以下、着メロデータという）を転送するためのデータ供給サーバ及びデータ供給方法に関する。
【背景技術】
【０００２】
近年、電話は、複数の人間が共用して使用する常設電話から個々の人間の一人一人に所持される携帯電話機に移行しつつある。このため、他人との着信とを差別化するために、予め複数の着信音を携帯電話機に記憶させておき、使用者の好みで着信音を選択して使用させることも行われている。
【０００３】
しかしながら、このような着信音を複数予め記憶させておくことは、携帯電話機内のメモリ容量を確保することから好ましくなく、また、全ての使用者が好む着信音を用意するためには、より多数の着メロデータを記憶させておくことが好ましいといった裏腹な問題が存在していた。
【０００４】
そこで、予め携帯電話機機内のメモリに多数の着メロデータを予め用意するのではなく、着メロデータに拘りのある使用者に対しては、インターネット通信回線網を含む広域回線などの通信回線を通じて、好みの着メロデータをダウンロードさせるといった方式が提案されている（特許文献１参照）。
【０００５】
しかも、着メロデータを各々の携帯電話機で異ならせるというのは、上述したように各々の携帯電話機に同時着信した場合に、自分の携帯電話機への着信なのか他人の携帯電話機への着信なのかを識別するといった機能的な役割、或いは、その発展型として着信した相手の電話番号に応じて予め着メロを異ならしめ、着メロで着信相手を識別するといった役割を発端としたものであったが、最近では、ファッションのように服を着せ替えるといった感覚で、着メロを変更することが行われている。
【０００６】
【特許文献１】特開２００２−２１８１０７号
【発明の開示】
【発明が解決しようとする課題】
【０００７】
上述したように、近年、着メロデータをサーバからダウンロードするといったことが一般的な着メロデータの取得方法になりつつあるが、これに伴い、各携帯電話機通信網提供メーカ（所謂、携帯電話キャリアと呼ばれる会社）が競って、特徴のある着メロを提供するようになってきた。例えば、和音数を競ったり、「着うた」と呼ばれるもの、或いは、楽調をサンバ調やヒップホップ調にしてダウンロードさせるといったサービスを提供している。
【０００８】
このような状況から、更なる、着メロとしての特徴を出すべく、着メロ供給メーカは開発を進めている。
【０００９】
しかし、各携帯電話機通信網提供メーカや着メロ提供サーバを運営する業者側から、携帯電話機の使用者に選択させて行う場合には、その選択の幅を広げるために多様な種類や数の着メロデータを予め用意する必要があるため、その数が多すぎると携帯電話機のディスプレーの大きさが比較的小さいこともあって、その選択数を多くするには限界があった。
【００１０】
このように単純にダウンロード可能な着メロデータ数を多くすることなく、年代や性別で同じ着メロデータを設定していることが多くなってしまっても、他の携帯電話機と差別化できる着メロとすることが可能な着メロデータを提供可能なデータ供給サーバを提供することを目的としている。
【課題を解決するための手段】
【００１１】
以上のような問題に鑑み、この発明では、従来のように使用者が複数の着メロから選択した一つの着メロと、複数の着ボイス（キャラクターボイス）から選択した一つのキャラクターボイスとを合成してダウンロードにより提供させることを特徴とするものである。
【００１２】
すなわち、（１）複数の着信メロディデータ、複数のキャラクタボイスデータ、及び、前記複数の着信メロディデータと複数のキャラクタボイスデータを視覚的に表示可能として選択を促す選択画面データとを記憶した記憶手段と、広域通信回線網を通じて携帯電話機と接続され、当該広域通信回線網を介して前記記憶手段から前記携帯電話機へ前記着信メロディデータ及びキャラクタボイスデータとを送信する通信手段とを具備するデータ供給サーバであって、
前記記憶手段には、前記携帯電話機が前記通信手段により接続されたことを条件として、前記記憶手段から該携帯電話機に前記選択画面データを送信する機能と、当該選択画面データを送信した後に前記選択画面データを送信した携帯電話機から、前記複数の着信メロディデータ及び複数のキャラクタボイスデータの中から夫々一つの着信メロディデータ及びキャラクタボイスデータの選択信号を受信し、当該選択信号に基づいて前記記憶手段から着信メロディデータ及びキャラクタボイスデータとを抽出する機能と、抽出した前記着信メロディデータ及びキャラクタボイスデータとを合成する機能とを備えた選択合成プログラムが記憶されており、
前記選択合成プログラムに基づいて、前記通信手段を介して前記携帯電話機により選択された前記着信メロディデータ及びキャラクタデータとの合成着信メロディデータを前記携帯電話機に送信する制御を実行する制御手段を備えていることを特徴とするデータ供給サーバ。
【００１３】
上記発明によれば、前記選択画面データに基づいて、前記携帯電話機の使用者が前記複数の着信メロディデータから所望の着信メロディデータと、当該所望の着信メロディデータと合成したいキャラクタボイスデータを前記複数のキャラクタボイスデータから選択して、オリジナリティのある合成着信メロディデータを生成し、ダウンロードできるようになる。これにより、同一の場所で複数の携帯電話機に着信があった場合でも、その携帯電話機の着信時に携帯電話機が発する着信音がオリジナリティのあるものとすることができるから、その場に存在する携帯電話機同士で同じ着信メロディを設定していたとしても、その使用者が自分の携帯電話機への着信かどうかを容易に識別することが可能となる。つまり、近年、着信メロディデータの提供者から提供される着信メロディは、極めて多種類のものとなっているが、結局、使用者が好むのは有名な音楽やその時に流行っている音楽といったことが多く、同じような年代の人間が集まると同じ着信メロディに設定されることが多いため、他の携帯電話機との着信を識別する役割が果たせないといった問題があるが、この発明によればこのような虞を低減できるのである。
【００１４】
なお、前記複数の着信メロディデータと複数のキャラクタボイスデータを視覚的に表示可能として選択を促す選択画面データとは、着信メロディデータに対応して予め用意された着信メロディデータ名や、キャラクタボイスデータに対応して予め用意されたキャラクタボイスデータ名を文字画像データで形成した画像データを意味する。
【００１５】
また、上述した発明によれば、オリジナリティのある合成着信メロディを使用者が選択使用することができるが、合成の仕方、つまり、着信メロディの時間軸に対してどのようなタイミングでキャラクタのどのようなボイスデータを合成させるかを選択できる余地を携帯電話機の使用者に与えることが有用であると本願発明者は発案し、以下のような発明を提供する。
【００１６】
（２）複数の着信メロディデータ、複数のキャラクタボイスデータ、及び、前記複数の着信メロディデータと複数のキャラクタボイスデータに対応した文字画像データとした選択画面データとを記憶した記憶手段と、当該選択画面データに応じて選択された着信メロディデータとキャラクタボイスデータとを合成着信メロディデータとして合成する合成手段と、当該合成手段によって合成された前記合成着信メロディデータを一時的に記憶する一時記憶手段と、広域通信回線網を通じて携帯電話機と接続され当該広域通信回線網を介して前記一時記憶手段から前記携帯電話機へ前記合成着信メロディデータを送信する通信手段とを具備するデータ供給サーバであって、
前記記憶手段には、前記携帯電話機が前記通信手段により接続されたことを条件として、前記記憶手段から該携帯電話機に前記選択画面データを送信する機能と、
当該選択画面データを送信した後に前記選択画面データを送信した携帯電話機から、前記複数の着信メロディデータ及び複数のキャラクタボイスデータの中から夫々一つの着信メロディデータ及びキャラクタボイスデータの選択信号を受信する機能と、
当該選択信号を受信したことを契機として複数の合成パターンの合成パターン選択画面を前記携帯電話機で表示させるために合成パターン選択画面データを前記携帯電話機に送信する機能と、
この合成パターン選択画面により選択された合成パターン選択信号を前記携帯電話機から受信する機能と、
前記合成パターン選択信号に応じた合成パターンによって、前記選択信号に応じた前記着信メロディデータ及びキャラクタボイスデータとを抽出し前記合成手段によって合成された前記合成着信メロディデータを前記一時記憶手段に格納する機能とを備えたプログラムが記憶されており、
前記プログラムに基づいて、前記通信手段を介して前記携帯電話機により前記合成着信メロディデータを前記携帯電話機に送信する制御を実行する制御手段を備えていることを特徴とするデータ供給サーバ。
【００１７】
上記発明によれば、合成パターンも携帯電話機の使用者が選択できるものであるから、よりオリジナリティのある合成着信メロディを選択できるようになるといったメリットがある。
【発明の効果】
【００１８】
この発明によれば、例えば、同じ年代や同じ趣味を有する人間が集まった場合に、それらの人間で同じ着信メロディが設定されてることがあったとしても、あるキャラクタボイスデータと合成された合成着信メロディデータが全く同じ着信メロディである可能性が低いものとなって、自分の携帯電話機に着信したのかどうかをより識別できる可能性が高まるとともに、その合成着信メロディ自体のオリジナリティ性を高めて興趣を向上させることが可能となる。
【発明を実施するための最良の形態】
【００１９】
図１乃至図６に基づいて以下本発明を適用した実施の形態について説明する。図１において、１は広域通信回線網としてのインターネット通信回線網を示している。この実施の形態では、インターネット通信回線網に本発明のデータ供給サーバを適用したものを例示するが、本発明はこのような広域通信回線網に限らず、ローカルネットワークの通信回線網に適用することもできるのは勿論である。
【００２０】
前記インターネット通信回線網１には、複数のデータ供給サーバ１０，・・・，１０と、個人個人が所有する携帯電話２０に対して、中継局２を介して前記複数のデータ供給サーバ１０，・・・，１０に接続することができる。このような接続方式は、周知であるので詳しい説明は省略する。
【００２１】
前記データ供給サーバ１０のハード構成を示すのが図２である。このデータ供給サーバ１は、ＣＰＵ１１Ａと、制御プログラムや着メロデータとキャラクタボイスとの合成パターンが異なる複数の合成プログラム及び当該複数の合成プログラムの合成パターン選択画面データを記憶したＲＯＭ１１Ｂ（リードオンリーメモリ）と、前記ＣＰＵ１１ＡのワークエリアとしてのＲＡＭ１１Ｃとで構成される制御手段１１と、ディスプレー１２、複数の着信メロディデータを記憶したＢＧＭデータベース１３、複数のキャラクタボイスデータを記憶したキャラクタボイスデータデース１４、前記合成プログラムによって合成された合成着信メロデータを一時的に記憶するバッファメモリ１６、当該合成着メロデータを外部の携帯電話機２０に送信したりといった送受信を実行する通信インターフェース１７とを主な構成としている。
【００２２】
前記合成プログラムは、携帯電話機２０が通信手段としての通信インターフェース１７により接続されたことを条件として、複数の着信メロディデータを記憶したＢＧＭデータベース１３に予め記憶された複数の着信メロディデータの選択画面データ、及び、複数のキャラクタボイスデータを記憶したキャラクタボイスデータデース１４に予め記憶された複数のキャラクタボイスデータの選択画面データを抽出して、接続された携帯電話機２０に前記選択画面データを送信する機能を備えている。また、同合成プログラムは、前記選択画面データを携帯電話機２０に送信した後に、前記選択画面データを送信した携帯電話機２０から、当該携帯電話機２０の入力手段によって携帯電話機２０の使用者の入力によって、前記複数の着信メロディデータ及び複数のキャラクタボイスデータの中から夫々一つの着信メロディデータ及びキャラクタボイスデータの選択信号を受信してバッファメモリ１６に記憶する機能を備えている。この選択信号は、前記選択画面データに基づいて携帯電話機２０に表示された選択画面を使用者が視認しつつ入力手段（例えば、多方向スイッチやボタンスイッチ）によって選択することによって発生する。さらに、前記合成プログラムは、前記選択信号を受信したことを契機として複数の合成パターンの合成パターン選択画面を前記携帯電話機２０で表示させるために、前記合成パターン選択画面データを携帯電話機２０に送信する機能と、この合成パターン選択画面を使用者が視認しつつ選択された合成パターン選択信号を携帯電話機２０から受信する機能と、前記合成パターン選択信号に応じた合成パターンによって、前記バッファメモリ１６に記憶した選択信号に応じた前記着信メロディデータ及びキャラクタボイスデータとをＢＧＭデータベース１３及びキャラクタボイスデータデース１４から抽出し、合成手段としての前記制御手段１１によって合成された前記合成着信メロディデータをバッファメモリ１６に格納する機能とを備えている。
【００２３】
図２における符号１６は、顧客ボイスデータベースであって、この顧客ボイスデータベース１６に予め携帯電話機２０の使用者が自分の声や家族の声或いは恋人の声などのボイスデータをＩＤコードとともに適宜抽出可能な状態で格納させておき、このボイスデータとＢＧＭデータベース１３内に記憶された着メロデータとを前述した合成プごろグラムを合成手段としての制御手段が実行して合成し、この合成した合成着メロデータを携帯電話機２０に送信することによって、受信した合成着信メロデータを着信音として使用することが可能となるようにすることもできる。
【００２４】
図３に示すのは、携帯電話機２０のハードブロック図であり、ＣＰＵ２１Ａと各種プログラムが格納されたＲＯＭ２１ＢとＣＰＵ２１ＡのワークエリアとなるＲＡＭ２１Ｃとからなる制御手段２１と、通話用スピーカ２２、マイクロフォン２３、音楽用スピーカ２４、液晶ディスプレー２５、前記操作手段としての操作スイッチ群２６、外部記憶手段としてのメモリーカード用のスロット２７、及びアンテナを含む送受信手段２８とから構成されている。前記選択画面や合成パターン選択画面は、液晶ディプレー２５に表示され、この表示される選択画面を携帯電話機２０の使用者が視認しつつ、入力手段としての操作スイッチ群２６を操作して、使用者自身の意思によって選択入力を実行することができる。そして、選択入力された選択情報は、送受信手段２８を介して中継局２を経てインターネット通信回線網からデータ供給サーバ１０へ送信される。
【００２５】
次に、図４〜図６のフロー図に基づいて、着メロデータのダウンロードの流れについて説明する。
【００２６】
使用者が携帯電話機２０の電源スイッチをＯＮにして電源をたちあげ、操作スイッチ群２６を操作してインターネット通信網１に接続するメニュー画面を液晶ディスプレー２５に表示させる（ステップＳ１）。このメニュー画面は、予め記憶手段としてのＲＯＭ２１Ｂされているか、又は、外部記憶媒体に記憶されておりメモリーカードスロット２７を介してＲＡＭ２１Ｃに記憶され、この記憶された画像データに基づいて液晶ディスプレー２５に表示される。
【００２７】
次に、使用者が、前記メニュー画面を視認しつつ、そのメニュー画面の案内に沿って、操作スイッチ群２６を操作により合成着メロデータをダウンロード可能なデータ供給サーバ１０のインタ−ネット通信回線網でのアドレスを入力する（ステップＳ２）と、その入力されたアドレスのデータ供給サーバ１０への接続処理が制御手段２１の制御の基に実行される（ステップＳ３）。  一方、データ供給サーバ１０側では、常時に、携帯電話２０からのアクセスがあるかどうかを随時判定しており、前記接続処理によって送信される接続要求信号の受信を判定すると（ステップＳ４）、その接続要求信号と共に受信する識別情報によって認証処理を制御手段１１が実行する（ステップＳ６）。この識別情報とは、例えば、携帯電話番号などを携帯電話機からのアクセスかどうかを判定したり、会員制度を導入している場合には、携帯電話機２０のＲＯＭ２１Ｂ又はＲＡＭ２１Ｃに対して自動的に予め記憶した複数の会員からある特定の会員を識別するための識別電子情報がこれに相当する。
【００２８】
認証が許可されると、前述したように、複数の着信メロディデータを記憶したＢＧＭデータベース１３に予め記憶された複数の着信メロディデータの選択画面データ、及び、複数のキャラクタボイスデータを記憶したキャラクタボイスデータデース１４に予め記憶された複数のキャラクタボイスデータの選択画面データを抽出して初期画面データを準備する（ステップＳ７）。
【００２９】
次に、上記初期データを携帯電話機２０に送信する（ステップＳ８）。
【００３０】
そして、前記初期データを携帯電話機２０が受信して（ステップＳ９）、制御手段２１がその初期データを記憶手段であるＲＡＭ２１Ｃに記憶するとともに、液晶ディスプレー２５に選択画面を表示する（ステップＳ１０）。
【００３１】
前記選択画面を携帯電話機２０の液晶ディスプレー２５に表示しつつ、当該携帯電話機２０の使用者がその選択画面を視認し、当該使用者の意思によって、合成するための所望の着信メロディデータとキャラクタボイスデータを選択を促し、この選択がなされたかどうかを制御手段２１が判定する（ステップＳ１１）。
【００３２】
選択が終了したと制御手段２１が判定すると、当該制御手段２１は選択情報を選択信号として、データ供給サーバ１０に送信する（ステップＳ１２）。この選択信号をデータ供給サーバ１０が受信する（ステップＳ１３）。前記複数の着信メロディデータ及び複数のキャラクタボイスデータの中から夫々一つの着信メロディデータ及びキャラクタボイスデータを特定する選択信号を受信すると、制御手段１１はその選択信号をバッファメモリ１６に記憶する。
【００３３】
選択信号の受信が完了したのち、制御手段１１は、複数の合成パターンの合成パターン選択画面を前記携帯電話機２０で表示させるために、前記合成パターン選択画面データを携帯電話機２０に送信する（ステップＳ１５）。この合成パターン選択画面データは、携帯電話機１０に受信され（ステップＳ１６）、液晶ディスプレー２５に合成パターン選択画面として表示される（ステップＳ１８）。そして、制御手段２１は、前記合成パターン選択画面を表示した後、携帯電話機１０の使用者が操作スイッチ群２６を利用して合成パターンが選択されたと判定すると（ステップＳ１９）、その合成パターン選択情報としての合成パターン選択信号をデータ供給サーバ１０に送信する。
【００３４】
この合成パターン選択信号を受信すると、制御手段１１は合成パターン選択信号をバッファメモリ１６に記憶し、先に記憶された前記着信メロディデータ及びキャラクタボイスデータとをＢＧＭデータベース１３及びキャラクタボイスデータデース１４から抽出し（ステップＳ２２−１）、選択された合成パターン選択信号によって特定される合成パターンプログラムに基づいて、合成手段としての前記制御手段１１が着信メロディデータとキャラクタボイスデータとを合成し（ステップＳ２２−２）、合成した前記合成着信メロディデータをバッファメモリ１６に格納する（ステップＳ２２−３）。このステップＳ２２−１からＳ２２−３が合成処理のステップＳ２２に相当する。
【００３５】
バッファメモリ１６に格納された着信メロディデータは、制御手段１１の制御に応じて携帯電話機２０に送信される（ステップＳ２３）。
【００３６】
この送信された合成着信メロディデータを携帯電話機２０が受信し、ＲＡＭ２１Ｃに格納する（ステップＳ２４）。
【００３７】
格納された合成着信メロディデータは、ＲＯＭ２１Ｂに記憶された自動再生プログラムによって、自動的に再生され、再生終了と同時に、予めＲＯＭ２１Ｂに記憶された格納要否判断画面データに基づいて液晶ディスプレー２５に格納の要否を判定させる（ステップＳ２５）。このように視聴させる機能を有する着メロのダウンロードサービスは多々あるが、この実施の形態のように、合成した後の状況が使用者の選択した合成パターンなどによって様々に変化する場合には更に有用なものとなる。そして、この合成着信メロディデータが使用者にとって気に入ったものではなく、先に選択した合成パターン、合成元となるキャラクタボイスデータ、或いは、着信メロディデータの何れかを変更して再合成する可能性があるので、このステップＳ２５における変形例としては、格納を拒否した場合に、予めＲＯＭ２１Ｂ内に記憶している変更画面データを使用して、液晶ディスプレー２５に変更画面を表示させ、先に選択した合成パターン、合成元となるキャラクタボイスデータ、或いは、着信メロディデータの何れかを変更させるか、或いは、一旦止めるかを操作スイッチ群２６の入力によって選択できるようにすることもできる。
【００３８】
このような選択の余地を残すために（再度の一からの選択作業を行わなくて済むように）、バッファメモリ１６に記憶された合成パターン、合成元となるキャラクタボイスデータ、或いは、着信メロディデータを識別するための選択情報は、制御手段１１の制御によって格納拒否と判定されるまで消去されないように制御することが重要である。
【００３９】
ステップＳ２５において、合成着信メロディデータが格納されると、データ供給サーバ１０と携帯電話機２０との通信を制御手段２１の制御によって終了する。
【産業上の利用可能性】
【００４０】
この発明は、近年、目覚しく広まっている携帯電話機に適用すると有用なもので、一人に一台の携帯電話機を所有するようになってきている状況でも、各々の携帯電話機での着信音の差別化を使用者自身の選択によって適用が可能にすることができるようになる。つまり、携帯電話機を提供する側が予め想定した数の着信メロディデータを用意しても、その予め用意するデータの数に限界があるし、流行している音楽を広域通信回線としてのインターネット通信回線網を通じてダウンロードするように構成したとしても、ダウンロードされる音楽は年代や性別などで同じ音楽に人気が集中するために、同じ場所に集まる人間が同じ着信メロディを設定してしまうといった課題を本発明は低減することができる。
【図面の簡単な説明】
【００４１】
【図１】本発明の実施の形態に係るネットワーク構成図を示す説明図である。
【図２】図１のネットワークに接続されるデータ供給サーバのハード構成図である。
【図３】図１のネットワークに接続される携帯電話機のハード構成図である。
【図４】本発明の実施の形態に係る合成着メロデータのダウンロードの流れを説明するためのフロー図である。
【図５】本発明の実施の形態に係る合成着メロデータのダウンロードの流れを説明するためのフロー図である。
【図６】本発明の実施の形態に係る合成着メロデータのダウンロードの流れを説明するためのフロー図である。
【符号の説明】
【００４２】
１    インターネット通信回線網
２    中継局
１０    データ供給サーバ
２０    携帯電話機
【図１】
2005295082.tif 000003
【図２】
2005295082.tif 000004
【図３】
2005295082.tif 000005
【図４】
2005295082.tif 000006
【図５】
2005295082.tif 000007
【図６】
2005295082.tif 000008